(57)【要約】空調制御機を介して家屋を空調する空調システムコントローラであって、自然エネルギー応用発電機（例えば太陽光パネル）が発電している発電量を取得する自家発電量取得部と、家屋で使用されている使用電力量を取得する電力量取得部と、自家発電量取得部が取得した発電量と電力量取得部が取得した使用電力量とを比較する比較部と、比較部による比較結果に基づいて空調制御機を制御する空調制御部と、を備えた空調システムコントローラを提供する。
2020195338.tif 000002
【特許請求の範囲】
【請求項１】
空調制御機を介して家屋を空調する空調システムコントローラであって、
自然エネルギー応用発電機が発電した発電量を取得する自家発電量取得部と、
前記家屋で使用されている使用電力量を取得する電力量取得部と、
前記自家発電量取得部が取得した発電量と前記電力量取得部が取得した使用電力量とを比較する比較部と、
前記比較部による比較結果に基づいて前記空調制御機を制御する空調制御部と、を備えた空調システムコントローラ。
【請求項２】
前記自然エネルギー応用発電機が発電した電力を貯蔵する電力貯蔵部をさらに備え、
前記自然エネルギー応用発電機が発電した発電量は、
自然エネルギー応用発電機が発電している発電量と、
自然エネルギー応用発電機が発電して前記電力貯蔵部に蓄えられた電力と、を含む請求項１記載の空調システムコントローラ。
【請求項３】
前記空調制御部は、
前記比較部による前記比較結果において前記使用電力量よりも前記発電量の方が余剰電力量分多い場合に、前記余剰電力量に相当する電力の範囲内で前記家屋の目標空調環境に近づけるよう前記空調制御機の出力を制御する省エネルギー制御部を備えた請求項１に記載の空調システムコントローラ。
【請求項４】
前記空調制御部は、
前記余剰電力量に関わらず前記家屋の目標空調環境に近づけるよう前記空調制御機の出力を制御する通常エネルギー制御部と、
前記省エネルギー制御部と前記通常エネルギー制御部とを切り替える制御切替部と、をさらに備えた請求項３に記載の空調システムコントローラ。
【請求項５】
前記空調制御部は、
前記家屋内の空間を少なくとも居室と、非居室とに分類して記憶する居室・非居室記憶部と、
前記余剰電力量に相当する電力の範囲内で、前記居室における目標空調環境に近づけるよう前記居室に対応する前記空調制御機の出力を制御する居室空調環境制御部と、
前記居室空調環境制御部により前記居室が前記目標空調環境に到達した際にさらなる余剰電力量がある場合は前記非居室に対して前記さらなる余剰電力量に相当する電力の範囲内で、前記非居室における目標空調環境に近づけるよう前記非居室に対応する前記空調制御機の出力を制御する非居室空調環境制御部と、をさらに備えた請求項３または４に記載の空調システムコントローラ。
【請求項６】
前記非居室空調環境制御部は、
前記居室空調環境制御部が前記居室における目標空調環境に近づけるよう前記居室に対応する前記空調制御機の出力を制御している際に、前記非居室における目標空調環境よりもエネルギー負荷の低い準目標空調環境に近づけるよう前記非居室に対応する前記空調制御機の出力を制御する請求項５記載の空調システムコントローラ。
【請求項７】
前記空調制御部は、
前記家屋内の空間における人の存在を検知する人検知部からの情報を受信する人検知情報取得部と、
前記余剰電力量に相当する電力の範囲内で、人検知情報取得部を介して人の存在が検知された人検知空間における目標空調環境に近づけるよう前記人検知空間に対応する前記空調制御機の出力を制御する在居室空調環境制御部と、
前記在居室空調環境制御部により前記人検知空間が前記目標空調環境に到達した際にさらなる余剰電力量がある場合は、前記人検知情報取得部を介して人の存在が検知されなかった非人検知空間に対して前記さらなる余剰電力量に相当する電力の範囲内で、前記非人検知空間における目標空調環境に近づけるよう前記非人検知空間に対応する前記空調制御機の出力を制御する不在居室空調環境制御部と、を備えた請求項３または４に記載の空調システムコントローラ。
【請求項８】
前記不在居室空調環境制御部は、
前記在居室空調環境制御部が前記人検知空間における目標空調環境に近づけるよう前記人検知空間に対応する前記空調制御機の出力を制御している際に、前記非人検知空間における目標空調環境よりもエネルギー負荷の低い準目標空調環境に近づけるよう前記非人検知空間に対応する前記空調制御機の出力を制御する請求項７記載の空調システムコントローラ。
【請求項９】
前記空調制御部は、
空調室の空気を前記空調室とは独立した複数の居室に搬送する、前記複数の居室毎に対応して設けられた複数の搬送ファンを制御するファン制御部と、
前記複数の居室それぞれの室内温度を取得する居室温度センサーと、前記空調室の温度を取得する空調室温度センサーと、からの情報を取得するセンサー情報取得部と、
前記複数の前記居室毎にそれぞれ個別に設定された複数の居室目標温度を前記目標空調環境として取得する居室目標温度取得部と、
前記空調機が冷房運転の場合には前記空調室の温度を前記センサー情報取得部が取得した前記複数の居室目標温度のうち最も低い温度以下の温度に制御し、前記空調機が暖房運転の場合には前記空調室の温度を前記センサー情報取得部が取得した前記複数の目標温度のうち最も高い温度以上の温度に制御する空調室温度制御部と、
前記居室目標温度取得部が取得した居室目標温度と、前記センサー情報取得部が取得した各居室の室内温度と、前記空調室の温度とに基づいて前記搬送ファンの送風量を決定する送風量決定部と、
前記送風量決定部が決定した送風量で前記搬送ファンそれぞれの送風量を制御するファン風量制御部と、を備えた請求項１から８のいずれかに記載の空調システムコントローラ。
【請求項１０】
前記空調制御機は、前記家屋内の温度を制御するものである請求項１記載の空調システムコントローラ。
【請求項１１】
前記空調制御機は、前記家屋で少なくとも空気を給気又は排気又は清浄するものである請求項１記載の空調システムコントローラ。
【請求項１２】
前記空調制御機は、前記家屋内の空気の湿度を制御するものである請求項１記載の空調システムコントローラ。
【請求項１３】
前記目標空調環境は、前記家屋内の温度である請求項１記載の空調システムコントローラ。
【請求項１４】
前記目標空調環境は、前記家屋内の清浄度である請求項１記載の空調システムコントローラ。
【請求項１５】
前記目標空調環境は、前記家屋内の湿度である請求項１記載の空調システムコントローラ。
【発明の詳細な説明】
【技術分野】
【０００１】
本開示は、空調システムコントローラに関するものである。
【背景技術】
【０００２】
従来、住居に対して全館空調機での空調が行なわれている。また、省エネルギー住宅需要の高まりや規制強化に伴い、高断熱・高気密住宅が増加していくことが予想されており、その特徴に適した空調システムが要望されている。【０００３】
例えば特許文献１に示されるように、複数個の居室を備えた高断熱・高気密家屋において、空調機を独立して設けるとともに、空調室と各居室を連結する給気ダクトを備え、各居室に配置されたコントローラにより空調室内空気を個別的に分配給気する方法が知られている。
【先行技術文献】
【特許文献】
【０００４】
【特許文献１】特開２０１１−１２７８４５号公報
【発明の概要】
【０００５】
ところで、近年では、太陽光発電システムなどの再生可能エネルギーを利用し、年間の一次エネルギー消費量の収支がゼロとすることを目指した住宅の建設が勧められている。
【０００６】
このような住宅では、できるだけ省エネルギーで快適な空間を提供することが望まれるが、これら省エネルギーと快適とは相反する環境を意味するため、各人の志向に合致させた環境の提供が困難であった。例えば、省エネルギーに配慮を行い、快適であるぎりぎりの環境まで我慢する人もおれば、自己の住宅が発電した範囲においては最も快適な環境を望む人もおり、さらには、発電量に関係なく、最大限快適な環境を望む人も存在する。
【０００７】
そこで本開示は、上記事情に鑑みてなされたものであり、これら各人の志向に応じた環境を容易に提供することができる空調システムコントローラを提供する。
【０００８】
そこで本開示は、上記従来の課題を解決するものであり、各人のエネルギー志向に応じた環境を容易に提供することができる空調システムコントローラを提供する。
【０００９】
そして、この目的を達成するために、本開示は、空調制御機を介して家屋を空調する空調システムコントローラであって、自然エネルギー応用発電機が発電した発電量を取得する自家発電量取得部と、家屋で使用されている使用電力量を取得する電力量取得部と、自家発電量取得部が取得した発電量と電力量取得部が取得した使用電力量とを比較する比較部と、比較部による比較結果に基づいて空調制御機を制御する空調制御部と、を備えた空調システムコントローラとし、これにより所期の目的を達成するものである。
【００１０】
本開示によれば、複数の居室における人の在・不在や居室であるか否かに基づいて、エネルギー効率の高い空調制御を行う空調システムを提供することができる。
【図面の簡単な説明】
【００１１】
【図１】図１は、本開示の第１実施形態に係る空調システムの接続概略図である。
【図２】図２は、本開示の第１実施形態に係る家屋の居室配置の一例を示す図である。
【図３】図３は、本開示の第１実施形態に係る空調システムのシステムコントローラの概略機能ブロック図である。
【図４】図４は、本開示の第１実施形態に係る家屋の居室の温度分布を示す図である。
【図５】図５は、本開示の第１実施形態に係る空調処理を示すフローチャートである。
【図６】図６は、本開示の第１実施形態に係る空調室の温度と居室の室内温度と居室目標温度との関係の一例を示す図である。
【図７】図７は、本開示の第１実施形態に係る空調室温度制御処理を示すフローチャートである。
【図８】図８は、本開示の第１実施形態に係るファン風量設定処理を示すフローチャートである。
【図９】図９は、本開示の第１実施形態に係るファン風量調整処理を示すフローチャートである。
【図１０】図１０は、本開示の第１実施形態に係る空調室負荷低減処理を示すフローチャートである。
【図１１】図１１は、本開示の第２実施形態に係る空調システムの接続概略図である。
【図１２】図１２は、本開示の第２実施形態に係る空調システムのシステムコントローラの概略機能ブロック図である。
【発明を実施するための形態】
【００１２】
以下、本開示を実施するための形態について添付図面を参照して説明する。なお、以下に説明する実施の形態は、いずれも本開示の好ましい一具体例を示すものである。よって、以下の実施の形態で示される、数値、形状、材料、構成要素、構成要素の配置位置及び接続形態、並びに、ステップ（工程）及びステップの順序などは、一例であって、本開示を限定する主旨ではない。従って、以下の実施の形態における構成要素のうち、本開示の最上位概念を示す独立請求項に記載されていない構成要素については、任意の構成要素として説明される。また、各図において、実質的に同一の構成に対しては同一の符号を付しており、重複する説明は省略又は簡略化する。
【００１３】
（実施の形態１）
まず、図１、図２を参照して、本開示の実施の形態１に係る空調システム１９について説明する。図１は、本実施の形態に係る空調システム１９の接続概略図であり、図２は、本実施の形態に係る一般住宅１の居室配置の一例を示す図である。
【００１４】
空調システム１９は、外気導入ファン４と、複数の排気ファン５（排気ファン５ａ，５ｂ，５ｃ，５ｄ，５ｅ，５ｆ，５ｇ，５ｈ，５ｉ）と、複数の搬送ファン３（搬送ファン３ａ，３ｂ，３ｃ，３ｄ，３ｅ，３ｆ，３ｇ，３ｈ，３ｉ）と、複数の循環ファン６（６ａ，６ｂ，６ｃ，６ｄ，６ｅ，６ｆ，６ｇ，６ｈ，６ｉ）と、居室温度センサー９（居室温度センサー９ａ，９ｂ，９ｃ，９ｄ，９ｅ，９ｆ，９ｇ，９ｈ，９ｉ）と、居室湿度センサー１０（居室湿度センサー１０ａ，１０ｂ，１０ｃ，１０ｄ，１０ｅ，１０ｆ，１０ｇ，１０ｈ，１０ｉ）と、居室人感センサー１１（居室人感センサー１１ａ，１１ｂ，１１ｃ，１１ｄ，１１ｅ，１１ｆ，１１ｇ，１１ｈ，１１ｉ）と、空調室温度センサー１２と、空調室湿度センサー１３と、エアコンディショナー７と、加湿器１５と、除湿器１６と、空気清浄機４０と、入出力端末１８と、システムコントローラ８ａ（空調システムコントローラに該当）と、を備えて構成される。また、空調システム１９は、さらに太陽光発電パネル５１と、パワーコンディショナー５２と、分電盤５３と、電力貯蔵部６０とを備える。
【００１５】
空調システム１９は、家屋の一例である一般住宅１内に設置される。一般住宅１は、複数（本実施形態では９つ）の居室２（居室２ａ，２ｂ，２ｃ，２ｄ，２ｅ，２ｆ，２ｇ，２ｈ，２ｉ）に加え、居室２と独立した少なくとも１つの空調室１７を有している。ここで一般住宅１（住宅）とは、居住者がプライベートな生活を営む場として提供された住居であり、一般的な構成として居室２にはリビング（居間）、ダイニング（台所・食堂）、寝室、物置、子供部屋等が含まれる。また空調システム１９が提供する居室にトイレ、浴室、洗面所、脱衣所、廊下、玄関等を含んでもよい。
【００１６】
空調室１７では、各居室２より搬送された空気同士が混合される。また、外気導入ファン４により外気が空調室１７内に取り込まれ、循環ファン６によって各居室２より搬送された空気と混合される。空調室１７の空気は、空調室１７内に設けられたエアコンディショナー７、加湿器１５、除湿器１６、及び空気清浄機４０等によって温度、湿度、清浄度が好適に制御され、すなわち空調環境が最適化されて、各居室２に搬送すべき空気が生成される。空調室１７にて空調された空気は、搬送ファン３により、各居室２に搬送される。
【００１７】
各居室２の空気は、循環ファン６により空調室１７へ搬送される他、排気ファン５によって居室２内から一般住宅１外へ外気として排出される。空調システム１９は、排気ファン５の排気風量を制御して室内から外気を排出しつつ、その排気ファン５の排気風量と連動させながら外気導入ファン４の給気風量を制御して室内に外気を取り込むことで、第１種換気方式の換気が行われる。
【００１８】
外気導入ファン４は、一般住宅１の室内に外気を取り込むファンであり、給気ファンや熱交換気扇の給気機能等が該当する。上述した通り、外気導入ファン４により取り込まれた外気は、空調室１７内に導入される。外気導入ファン４の給気風量は、複数段階で設定可能に構成されており、その排気風量は、後述するように、排気ファン５の排気風量に応じて設定される。
【００１９】
排気ファン５は、対応する居室２の空気の一部を例えば排気ダクトを介して外気として排出するファンであり、天埋換気扇、壁掛換気扇、レンジフード、熱交換気扇の排気機能等が該当する。なお、図１においては排気ファン５に接続された排気ダクトは直接一般住宅１外へ接続されているが、熱交換気扇の排気機能を利用する場合には、排気ダクトはいったん熱交換気扇に接続されてから一般住宅１外へ接続される。つまり排気ダクトを通る空気が熱交換気扇の給気風路を通る空気との間で熱交換されたのち、一般住宅１外へ排出される。排気ファン５ａは居室２ａに、排気ファン５ｂは居室２ｂに、排気ファン５ｃは居室２ｃに、排気ファン５ｄは居室２ｄに、排気ファン５ｅは居室２ｅに、排気ファン５ｆは居室２ｆに、排気ファン５ｇは居室２ｇに、排気ファン５ｈは居室２ｈ、排気ファン５ｉは居室２ｉに設けられている。
【００２０】
各排気ファン５は、その排気風量が複数段階で設定可能に構成されている。通常時は、予め設定された排気風量となるように各排気ファン５は制御される。そして、ユーザによる設定や、各種センサーにより取得された値に応じて、各排気ファン５毎に排気風量が制御される。
【００２１】
搬送ファン３ａ〜３ｉは、それぞれ居室２ａ〜２ｉに対応して空調室１７の例えば壁面に設けられている。空調室１７の空気は、搬送ファン３ａによって搬送ダクトを介して居室２ａに搬送され、搬送ファン３ｂによって搬送ダクトを介して居室２ｂに搬送され、搬送ファン３ｃによって搬送ダクトを介して居室２ｃに搬送される。また、空調室１７の空気は、搬送ファン３ｄによって搬送ダクトを介して居室２ｄに搬送され、搬送ファン３ｅによって搬送ダクトを介して居室２ｅに搬送され、搬送ファン３ｆによって搬送ダクトを介して居室２ｆに搬送される。また、空調室１７の空気は、搬送ファン３ｇによって搬送ダクトを介して居室２ｇに搬送され、搬送ファン３ｈによって搬送ダクトを介して居室２ｈに搬送され、搬送ファン３ｉによって搬送ダクトを介して居室２ｉに搬送される。
【００２２】
なお、各居室と接続される搬送ダクトは他の居室と接続される搬送ダクトと独立して設けられる。
【００２３】
循環ファン６ａは居室２ａに、循環ファン６ｂは居室２ｂに、循環ファン６ｃは居室２ｃに、循環ファン６ｄは居室２ｄに、循環ファン６ｅは居室２ｅに、循環ファン６ｆは居室２ｆに、循環ファン６ｇは居室２ｇに、循環ファン６ｈは居室２ｈに、循環ファン６ｉは居室２ｉに設けられている。居室２ａ〜２ｉの空気の一部は、それぞれ対応する循環ファン６ａ〜６ｉによって、循環ダクトを介して空調室１７に搬送される。なお、空調室１７と居室とを接続する循環ダクトはそれぞれ互いに独立して設けられてもよいが、循環ダクトの一部である複数の支流ダクトを途中より合流させて１つの循環ダクトに統合した後、空調室１７に接続されてもよい。
【００２４】
エアコンディショナー７は、空調機に該当するものであり、空調室１７の空調を制御する。エアコンディショナー７は、空調室１７の空気の温度が設定された空調室目標空調温度となるように、空調室１７の空気を冷却又は加熱する。
【００２５】
加湿器１５は、空調室１７の空気の湿度が設定された空調室目標空調湿度よりも低い場合にその湿度が空調室目標空調湿度となるように、空調室１７の空気を加湿する。なお、加湿器１５がエアコンディショナー７に内蔵されている場合もあるが、複数の居室２に対応するだけの加湿能力を得るために、エアコンディショナー７とは独立した加湿器１５を備えるのが望ましい。
【００２６】
除湿器１６は、空調室１７の空気の湿度が設定された空調室目標空調湿度よりも高い場合にその湿度が空調室目標空調湿度となるように、空調室１７の空気を除湿する。なお、除湿器１６がエアコンディショナー７に内蔵されている場合もあるが、複数の居室２に対応するだけの除湿能力を得るために、エアコンディショナー７とは独立した除湿器１６を備えるのが望ましい。
【００２７】
空気清浄機４０は、空調室１７の空気の清浄度が設定された空調室目標空調清浄度よりも高い場合にその清浄度が空調室目標空調清浄度となるように、空調室１７の空気を清浄する。なお、空気清浄機４０がエアコンディショナー７に内蔵されている場合もあるが、複数の居室２に対応するだけの清浄能力を得るために、エアコンディショナー７とは独立した空気清浄機４０を備えるのが望ましい。
【００２８】
居室温度センサー９ａは、居室２ａに設けられ、居室温度センサー９ｂは、居室２ｂに設けられ、居室温度センサー９ｃは、居室２ｃに設けられている。また、居室温度センサー９ｄは、居室２ｄに設けられ、居室温度センサー９ｅは、居室２ｅに設けられ、居室温度センサー９ｆは、居室２ｆに設けられている。また、居室温度センサー９ｇは、居室２ｇに設けられ、居室温度センサー９ｈは、居室２ｈに設けられ、居室温度センサー９ｉは、居室２ｉに設けられている。居室温度センサー９ａ〜９ｉは、対応する居室２ａ〜２ｉそれぞれの室内温度を取得して、システムコントローラ８ａに送信するセンサーである。
【００２９】
居室湿度センサー１０ａは、居室２ａに設けられ、居室湿度センサー１０ｂは、居室２ｂに設けられ、居室湿度センサー１０ｃは、居室２ｃに設けられている。また、居室湿度センサー１０ｄは、居室２ｄに設けられ、居室湿度センサー１０ｅは、居室２ｅに設けられ、居室湿度センサー１０ｆは、居室２ｆに設けられている。また、居室湿度センサー１０ｇは、居室２ｇに設けられ、居室湿度センサー１０ｈは、居室２ｈに設けられ、居室湿度センサー１０ｉは、居室２ｉに設けられている。居室湿度センサー１０は、対応する居室２ａ〜２ｉそれぞれの室内湿度を取得して、システムコントローラ８ａに送信するセンサーである。
【００３０】
居室人感センサー１１ａは、居室２ａに設けられ、居室人感センサー１１ｂは、居室２ｂに設けられ、居室人感センサー１１ｃは、居室２ｃに設けられている。また、居室人感センサー１１ｄは、居室２ｄに設けられ、居室人感センサー１１ｅは、居室２ｅに設けられ、居室人感センサー１１ｆは、居室２ｆに設けられている。また、居室人感センサー１１ｇは、居室２ｇに設けられ、居室人感センサー１１ｈは、居室２ｈに設けられ、居室人感センサー１１ｉは、居室２ｉに設けられている。居室人感センサー１１は、対応する居室２ａ〜２ｉそれぞれの室内の人の在・不在情報を取得して、システムコントローラ８ａに送信するセンサーである。居室人感センサー１１は、対象居室２内における人の在・不在を検知するための機器であればその形態を問わない。つまり、居室人感センサー１１は、例えば直接的に人の存在を検知する、赤外線センサー、画像センサー、ＣＯ２濃度センサーなどが該当するが、それぞれの精度、特性が異なり、目的に応じて採用することができる。また、人が携帯する携帯通信端末が居室２に備えられた通信機と通信することで当該居室における人の存在を判定する例えば近接無線通信等の場合等には、通信機が本願における居室人感センサー１１に該当する。
【００３１】
空調室温度センサー１２は、空調室１７の空気の温度を取得して、システムコントローラ８ａに送信するセンサーである。なお、空調室温度センサー１２は、エアコンディショナー７に内蔵されている場合もあるが、エアコンディショナー７に内蔵されている場合にはエアコンディショナー７周囲（例えば給気口付近）の情報しか得られない。空調室１７は、上述のように外気と各居室２から搬送された空気とが混合されるため、空調室１７全体としての情報が得られるように、エアコンディショナー７とは独立して温度センサーを備えるのが望ましい。
【００３２】
空調室湿度センサー１３は、空調室１７の空気の湿度を取得して、システムコントローラ８ａに送信するセンサーである。なお、空調室湿度センサー１３も空調室温度センサー１２と同様の理由で、空調室１７全体としての情報が得られるように、エアコンディショナー７とは独立して湿度センサーを備えるのが望ましい。
【００３３】
太陽光発電パネル５１は、一般住宅１の屋根に設置され、太陽光を受けて発電を行う、自然エネルギー応用発電機の一例である。
【００３４】
パワーコンディショナー５２は、太陽光発電パネル５１に接続され、太陽光発電パネル５１の発電により得られた直流電流を一般住宅１で通常利用可能な交流電流に変換する。またパワーコンディショナー５２は、電力貯蔵部６０に接続され、太陽光発電パネル５１の発電により得られた直流電流を電力貯蔵部６０に蓄え、必要に応じて電力貯蔵部６０から電力を取り出して分電盤５３に供給する。
【００３５】
分電盤５３は、パワーコンディショナー５２に接続され、パワーコンディショナー５２により出力された交流電流を、一般住宅１内で利用される電化製品や電球、照明器具等の、電気を消費する機器（以後、消電機器と称する）に提供（分配）する。なお、消電機器にはシステムコントローラ８ａや空調制御機、すなわち一般住宅１を空調する機器が含まれ、本願における搬送ファン３、循環ファン６、エアコンディショナー７、加湿器１５、除湿器１６、空気清浄機４０、居室温度センサー９、空調室温度センサー１２、居室人感センサー１１等が該当する。また、これら以外にも一般住宅１に備えられた空調制御機以外の冷蔵庫、洗濯機、テレビ等、分電盤５３に接続され、電力を消費するあらゆる機器が含まれる。
【００３６】
電力貯蔵部６０は、いわゆる蓄電池が該当し、太陽光発電パネル５１が発電した電力であって、家屋内の電力消費量を上回る電力すなわち余剰電力を、パワーコンディショナー５２を介して取得し蓄積する。また、電力貯蔵部６０に蓄えられた余剰電力は、必要に応じてパワーコンディショナー５２を介して分電盤５３に供給されることで、消費される。
【００３７】
システムコントローラ８ａは、空調システム１９全体を制御するコントローラである。システムコントローラ８ａは、外気導入ファン４、排気ファン５、搬送ファン３、循環ファン６、居室温度センサー９、居室湿度センサー１０、居室人感センサー１１、空調室温度センサー１２、空調室湿度センサー１３、エアコンディショナー７、加湿器１５、除湿器１６、空気清浄機４０及び、分電盤５３と、無線通信により通信可能に接続されている。
【００３８】
システムコントローラ８ａは、排気ファン５の排気風量に応じた風量となるように、外気導入ファン４の給気風量を設定する等、外気導入ファン４と排気ファン５とを連動させて制御する。これにより、一般住宅１に対して第１種換気方式による換気が行われる。
【００３９】
また、システムコントローラ８ａは、空調室温度センサー１２及び空調室湿度センサー１３により取得される空調室１７の空気の温度及び湿度に基づいて、空調室１７の温度及び湿度の少なくとも一方が、空調室１７に設定された空調室目標空調温度及び空調室目標空調湿度の少なくとも一方となるように、空調機としてのエアコンディショナー７、加湿器１５、除湿器１６を制御する。またシステムコントローラ８ａは、空調室１７の清浄度が、空調室１７に設定された空調室目標空調環境清浄度となるように、空調機としての空気清浄機４０を制御する。
【００４０】
また、システムコントローラ８ａは、居室人感センサー１１により取得された各居室２の人の在・不在情報に応じて、人が存在する在居室及び人が存在しない不在居室を判断する。
【００４１】
そして、システムコントローラ８ａは、居室温度センサー９及び居室湿度センサー１０により取得された各居室２の室内温度、室内湿度と、在居室に設定された目標空調温度、目標空調湿度等に応じて、搬送ファン３の風量や循環ファン６の風量を設定する。
【００４２】
さらに、システムコントローラ８ａは、居室温度センサー９及び居室湿度センサー１０により取得された各居室２の室内温度、室内湿度と、不在居室に設定された準目標空調温度、準目標空調湿度等に応じて、搬送ファン３の風量や循環ファン６の風量を設定する。
【００４３】
これにより、空調室１７にて空調された空気が、対応する搬送ファン３に設定された風量で各居室２に搬送され、また、各居室２の空気が、対応する循環ファン６に設定された風量で空調室１７に搬送される。よって、各居室２の室内温度、室内湿度、及び清浄度の少なくとも一つが、目標空調温度や目標空調湿度、及び目標空調清浄度の少なくとも一つとなるように制御される。
【００４４】
また、システムコントローラ８ａは、太陽光発電パネル５１の発電により得られた電力量、つまり発電量を分電盤５３から取得する。当然、システムコントローラ８ａは、発電量をパワーコンディショナー５２から直接取得してもよい。なお、ここでいう発電量は、現在、太陽光発電パネル５１が発電中の電力を示すが、さらに、電力貯蔵部６０がすでに貯蔵している、太陽光発電パネル５１が過去に発電して使用されなかった余剰電力を含めてもよい。この場合、太陽光発電パネル５１が発電中の電力と、電力貯蔵部６０が供給可能な電力との和が発電量に該当する。また、例えば夜間など、太陽光発電パネル５１が発電していない場合には、電力貯蔵部６０がすでに貯蔵して供給可能状態にある電力のみが、発電量に該当する。
【００４５】
さらにシステムコントローラ８ａは、分電盤５３に接続されるすべての消電機器が現在消費している電力である使用電力量を、分電盤５３から取得する。また、可能であれば分電盤５３は、どの消電機器（例えばエアコンディショナー７）がどの程度の電力を消費しているかをそれぞれ取得してもよい。具体的には、分電盤５３上で電力を供給する分岐線（セグメント）を複数に分類し、例えば一のセグメントに対しては空調に関する消電機器、つまり空調制御機を接続する等で、空調制御機が消費している電力量のみを取得可能となる。
【００４６】
なお、上述のシステムコントローラ８ａの詳細な処理は後述する。
【００４７】
ここで、システムコントローラ８ａと、外気導入ファン４、排気ファン５、搬送ファン３、循環ファン６、居室温度センサー９、居室湿度センサー１０、居室人感センサー１１、空調室温度センサー１２、空調室湿度センサー１３、エアコンディショナー７、加湿器１５、除湿器１６、空気清浄機４０及び、分電盤５３が、無線通信で接続されることにより、複雑な配線工事を不要とすることができる。ただし、これら全体を、又は、システムコントローラ８ａとこれらの一部を、有線通信により通信可能に構成してもよい。
【００４８】
入出力端末１８は、システムコントローラ８ａと無線通信により通信可能に接続され、空調システム１９を構築するうえで必要な情報の入力を受け付けてシステムコントローラ８ａに記憶させたり、空調システム１９の状態をシステムコントローラ８ａから取得して表示したりするものである。入出力端末１８は、携帯電話、スマートフォン、タブレットといった携帯情報端末が例として挙げられる。
【００４９】
なお、入出力端末１８は、必ずしも無線通信によりシステムコントローラ８ａと接続される必要はなく、有線通信により通信可能にシステムコントローラ８ａと接続されてもよい。この場合、入出力端末１８は、例えば、壁掛のリモートコントローラにより実現されるものであってもよい。
【００５０】
次いで、図３を参照して、システムコントローラ８ａの各機能について説明する。図３は、システムコントローラ８ａの概略機能ブロック図である。
【００５１】
システムコントローラ８ａは、空調室温度制御部２３、送風量決定部２４ａ、ファン風量制御部２０、送風総量算出部２５、送風量比較部２６、記憶部３０を備える。さらにシステムコントローラ８ａは、自家発電量取得部５４、電力量取得部５５、比較部５６、制御切替部５９を備える。
【００５２】
空調室温度制御部２３は、冷房期、つまり居室２の室内温度（居室内温度）が高く、エアコンディショナー７が冷房運転する場合であれば、空調室１７の温度（空調室温度）が、目標空調環境取得部３３ａが取得した目標空調環境（温度）と同一かそれより低い温度となるように、空調機としてのエアコンディショナー７を制御する。空調室温度制御部２３は、暖房期、つまり居室２の室内温度が低く、エアコンディショナー７が暖房運転する場合であれば、空調室１７の温度が、目標空調環境取得部３３ａが取得した目標空調環境（温度）と同一かそれより高い温度となるように、エアコンディショナー７を制御する。
【００５３】
送風量決定部２４ａは、センサー情報取得部３５と、在・不在居室判定部３２と、目標空調環境取得部３３ａと、準目標空調環境記憶部３４ａと、在居室空調環境制御部２１と、不在居室空調環境制御部２２と、第一温度比較部２７と、第二温度比較部２８と、温度差比較部２９とを備える。
【００５４】
センサー情報取得部３５は、居室温度センサー９、居室人感センサー１１、空調室温度センサー１２、居室湿度センサー１０、清浄度センサーと接続し、各センサーが取得した情報を取得する。なお、居室人感センサー１１から人の存在（在・不在）を検知する場合には、居室人感センサー１１が人検知部に該当し、センサー情報取得部３５は人検知情報取得部に該当する。
【００５５】
在・不在居室判定部３２は、センサー情報取得部３５を介して居室人感センサー１１から取得した情報から人が存在する在居室及び人が存在しない不在居室を判定する。居室人感センサー１１自体が在・不在を判断してその旨を示す信号を在・不在居室判定部３２に送信してもよいし、居室人感センサー１１からの信号に基づいて、在・不在居室判定部３２が在不在を判定してもよい。
【００５６】
目標空調環境取得部３３ａは、在・不在居室判定部３２が在居室と判断した居室２に対して、入出力端末１８を介して在居室２に設定された目標空調環境（温度）を取得する。
【００５７】
在居室空調環境制御部２１は、目標空調環境取得部３３ａが取得した目標空調環境（温度）と、空調室温度制御部２３にて制御され又は空調室温度センサー１２を介して取得した空調室１７の温度と、居室温度センサー９が取得した在居室それぞれの室内温度に基づいて各在居室に対応する搬送ファン３の送風量を決定する。
【００５８】
準目標空調環境記憶部３４ａは、在居室に対する不在居室の隣接空間距離と、当該隣接空間距離に対応する準目標空調環境（温度）とを関連付けて記憶している。
【００５９】
ここで隣接空間距離とは、不在居室の在居室からの距離である。ただし、ここで言う距離とは、在居室から不在居室までの直線的な距離ではなく、居室を一つの空間とした場合に、在居室からいくつの空間を隔てて不在居室が接続されているかを示す値である。例えば、在居室に隣接し、人が出入り可能なドアを隔てて存在する隣室は、隣接空間距離が１と示される。なお、隣接していても人が出入りできない場合には隣接空間距離が１とはならない。在居室に対して人が出入りできる廊下を隔てて接続される居室は隣接空間距離が２と示される。図２を参照して具体例を示すと、居室２ａが在居室、居室２ｂ〜２ｉが不在居室の場合、居室２ｃは隣接空間距離が１、居室２ｂ、２ｄ、２ｅ、２ｈは隣接空間距離が２、居室２ｆ、２ｇ、２ｉは隣接空間距離が３となる。また、居室２ａ、及び居室２ｉが在居室であり、これら以外の居室が不在居室の場合、居室２ｃ、居室２ｈは隣接空間距離が１、居室２ｂ、２ｄ、２ｅ、２ｇ、２ｆは隣接空間距離が２と示される。
【００６０】
また、準目標空調環境とは、目標空調環境よりもエネルギー負荷の低い空調環境である。ここで、エネルギー負荷の低い空調環境とは、温度を例にすると、夏季、つまり冷房期に、在居室の目標空調環境（温度）が２４度に設定されるとする。この場合、準目標空調環境（温度）とは、２４度よりも高い、つまりエアコンディショナー７の消費電力が低い環境である例えば２６度である。また、冬季、つまり暖房期に、在居室の目標空調環境（温度）が２２度に設定されるとする。この場合、準目標空調環境（温度）とは、２２度よりも低い、つまりエアコンディショナー７の消費電力が低い環境である例えば２０度である。
【００６１】
上記は、準目標空調環境に温度を例として説明したが、湿度の場合、雨季で除湿が必要な環境であれば、目標空調環境（湿度）としての湿度設定よりも高い湿度設定が準目標空調環境（湿度）となり、乾季であればその逆となる。また、清浄度の場合、目標空調環境（清浄度）よりも空気浄化度の高い環境が準目標空調環境（清浄度）となる。清浄度は例えば空調室１７に備えられた埃センサーやＣＯ２濃度センサー等の清浄度センサーにより検知される。
【００６２】
準目標空調環境記憶部３４ａの記憶情報に基づく各居室の目標空調環境（温度）、準目標空調環境（温度）の設定例を以下に示す。
【００６３】
例えば夏季、つまり冷房期に、準目標空調環境記憶部３４ａは、当該不在居室が在居室に対して隣接空間距離が１の場合、準目標空調温度は目標空調温度から＋２℃と記憶している。また、当該不在居室が在居室に対して隣接空間距離が２であれば、準目標空調温度は目標空調温度から＋４℃と記憶している。また、当該不在居室が在居室に対して隣接空間距離が３であれば、準目標空調温度は目標空調温度から＋６℃と記憶している。なお、準目標空調環境記憶部３４ａは、居室２ａ〜２ｉ全てが不在居室である場合や不在居室が在居室から隣接空間距離が例えば４以上など大きく離れている場合等を考慮し、冷房期であれば準目標空調温度の最大値である最大準目標空調温度を例えば＋８℃と記憶している。
【００６４】
同様に冬季、つまり暖房期に、準目標空調環境記憶部３４ａは、当該不在居室が在居室に対して隣接空間距離が１の場合、準目標空調温度は目標空調温度から−２℃と記憶している。また、当該不在居室が在居室に対して隣接空間距離が２であれば、準目標空調温度は目標空調温度から−４℃と記憶している。また、当該不在居室が在居室に対して隣接空間距離が３であれば、準目標空調温度は目標空調温度からー６℃と記憶している。なお、準目標空調環境記憶部３４ａは、居室２ａ〜２ｉ全てが不在居室である場合や不在居室が在居室から隣接空間距離が例えば４以上など大きく離れている場合等を考慮し、暖房期であれば最大準目標空調温度を例えば−８℃と記憶している。
【００６５】
例えば図２において、夏季、つまり冷房期に居室２ａが在居室、居室２ｂ〜２ｉが不在居室の場合、在居室２ａの目標空調温度を２０℃とすると不在居室２ｂ、２ｃは隣接空間距離が１のため準目標空調温度２２℃、不在居室２ｄ、２ｅ、２ｈは隣接空間距離が２のため準目標空調温度２４℃、不在居室２ｆ、２ｇ、２ｉは隣接空間距離が３のため準目標空調温度２６℃となる。図４は夏季、つまり冷房期に居室２ａが在居室、居室２ｂ〜２ｉが不在居室の場合の温度分布図であり、同一の濃度は同一の温度を意味する。
【００６６】
不在居室空調環境制御部２２は、目標空調環境取得部３３ａからの情報と準目標空調環境記憶部３４ａとに基づいて決定した各不在居室の準目標空調環境（温度）と、空調室温度制御部２３にて制御され又は空調室温度センサー１２を介して取得した空調室１７の温度と、居室温度センサー９が取得した不在居室それぞれの室内温度と、に基づいて各不在居室に対応する各搬送ファン３の送風量を決定する。なお、送風量の決定、変更手順については後述する。
【００６７】
第一温度比較部２７は、目標空調環境取得部３３ａが取得した目標空調温度と、空調室温度センサー１２が検出した空調室の温度との温度差を、在居室毎に算出する。また、第一温度比較部２７は、準目標空調環境記憶部３４ａを介して決定した準目標空調温度と、空調室温度センサー１２が検出した空調室の温度との温度差を、不在居室毎に算出する。
【００６８】
第二温度比較部２８は、目標空調環境取得部３３ａが取得した目標空調温度と、居室温度センサー９が検出した在居室の室内温度との温度差を、在居室毎に算出する。また、第二温度比較部２８は、準目標空調環境記憶部３４ａを介して決定した準目標空調温度と、居室温度センサー９が検出した不在居室の室内温度との温度差を、不在居室毎に算出する。
【００６９】
温度差比較部２９は、第二温度比較部２８が所定のタイミングＡにて算出した温度差Ａと、第二温度比較部２８が所定のタイミングＡから一定時間経過後のタイミングＢにて算出した温度差Ｂとを比較する。なお、タイミングＡは所定の時刻、タイミングＢは所定の時刻から一定時間経過後の時刻と言い換えることができる。
【００７０】
ファン風量制御部２０は、複数の居室２ａ〜２ｉ毎に対応して設けられた複数の搬送ファン３ａ〜３ｉ個々の風量を、送風量決定部２４ａにて決定された対応する搬送ファン３ａ〜３ｉの送風量に制御する。また、ファン風量制御部２０は、循環ファン６ａ〜６ｉについても制御してよいが、ここでは詳細説明を省略する。
【００７１】
送風総量算出部２５は、複数の搬送ファン３ａ〜３ｉによる送風量の総和である送風総量を算出する。ここで送風量の総和とは、搬送ファン３ａ〜３ｉのそれぞれの単位時間当たりの送風量の和で示される。
【００７２】
送風量比較部２６は、送風総量算出部２５が算出した送風総量と所定の送風量閾値とを比較する。ここで所定の送風量閾値とは、例えば複数の搬送ファン３ａ〜３ｉの最大送風量の総和や、あるいは当該最大送風量の総和の７０％〜９５％の値とすることができる。
【００７３】
記憶部３０は、あらかじめ設定された所定の送風量閾値を記憶する、いわゆるメモリである。また、その他システムコントローラ８ａによる制御に数値などの情報の記憶が必要な場合にも記憶部３０が利用される。
【００７４】
自家発電量取得部５４は、太陽光発電パネル５１にて発電されている発電量を、分電盤５３を介して取得する。
【００７５】
電力量取得部５５は、一般住宅１にて使用されている使用電力量を、分電盤５３を介して取得する。ここで取得するとは、各消電機器の使用電力量からすべての消電機器による使用電力量を算出する処理を含んでもよい。
【００７６】
比較部５６は、自家発電量取得部５４が取得した発電量と、電力量取得部５５が取得した使用電力量とを比較して、余剰電力量の有無と量を判断する。ここで余剰電力量とは、発電量から使用電力量を差し引いた結果として求められる。つまり、余剰電力量がプラスの場合は、使用電力量よりも発電量が上回っていることを意味する。
【００７７】
制御切替部５９は、通常エネルギー制御部５７と省エネルギー制御部５８とを備え、入出力端末１８を介したユーザの入力に基づいて、通常エネルギー制御部５７による通常エネルギー制御と省エネルギー制御部５８による省エネルギー制御とを切り替える。
【００７８】
通常エネルギー制御部５７は、余剰電力量の有無に関わらず、言い換えると消費電力量の大小に関わらず、通常エネルギー制御によってユーザが希望する目標空調環境を実現する。
【００７９】
省エネルギー制御部５８は、余剰電力量が存在する場合には、省エネルギー制御によって、余剰電力量の範囲内で可能な限りユーザが希望する目標空調環境を実現する。
【００８０】
次いで、図５〜図１０を参照して、システムコントローラ８ａにより実行される、主として通常エネルギー制御における空調処理について説明する。図５は、空調処理を示すフローチャートである。図６は、空調室の温度と居室の室内温度と目標（準目標）空調温度との関係の一例を示す図である。図７は、空調室温度制御処理を示すフローチャートである。図８は、ファン風量設定処理を示すフローチャートである。図９は、ファン風量調整処理を示すフローチャートである。図１０は空調室負荷低減処理を示すフローチャートである。
【００８１】
空調処理を開始するにあたり、まずシステムコントローラ８ａを構成する制御切替部５９は、ユーザにより入出力端末１８を介して入力され、記憶部３０に記憶されている動作モードが通常エネルギー制御か省エネルギー制御かを確認する（Ｓ１）。
【００８２】
ここで、通常エネルギー制御である場合、制御切替部５９は、通常エネルギー制御部５７を介して以下の処理を行う（Ｓ１でＹｅｓ）。なお通常エネルギー制御とは、余剰電力量の有無や量に関わらず、一般住宅１の目標空調環境をユーザが希望する目標空調環境に近づけるように空調制御機を制御する動作モードである。
【００８３】
＜通常エネルギー制御＞
システムコントローラ８ａが実行する空調処理は、図５に示すように、主に空調室温度制御処理Ｓ１００、ファン風量設定処理Ｓ２００、ファン風量調整処理Ｓ３００により構成され、この順で実行される。
【００８４】
通常エネルギー制御においては、まず、システムコントローラ８ａは、図７に示す空調室温度制御処理Ｓ１００を実行する。空調室温度制御処理Ｓ１００では、システムコントローラ８ａは、入出力端末１８にて設定された冷暖房期設定を取得する（Ｓ１０１）。ここで冷暖房期設定とは、例えば気温が高くなりエアコンディショナー７を冷房機として運転（稼働）させる夏季を冷房期と設定し、気温が低くなりエアコンディショナー７を暖房機として運転させる冬季を暖房期と設定する。ユーザは、入出力端末１８のカレンダー機能に対して、例えば六月から九月を冷房期と設定し、一二月から三月を暖房期と設定することで、システムコントローラ８ａは当該設定を取得することができる。
【００８５】
その後、システムコントローラ８ａは、目標空調環境取得部３３ａを介して入出力端末１８により在居室に設定された目標空調温度を取得する（Ｓ１０２）。
【００８６】
目標空調温度を取得すると、空調室温度制御部２３は、エアコンディショナー７に空調室１７の目標温度（空調室目標空調温度）を設定する（Ｓ１０３）。具体的に空調室目標空調温度は、以下のように決定される。
【００８７】
図６は、空調室１７及び在居室２ｄ、不在居室２ｃ、不在居室２ｂにおける温度環境を例示している。ここでは冷房期を例として説明する。在居室２ｄは、室内温度が２７℃、目標空調温度が２０℃である。不在居室２ｃは、室内温度が２７℃、在居室２ｄからの隣接空間距離が１であるため、準目標空調温度が２２℃である。不在居室２ｂは、室内温度が２８℃、在居室２ｄからの隣接空間距離が２であるため、準目標空調温度が２４℃である。ここで空調室温度制御部２３は、Ｓ１０１で取得した冷暖房期設定が冷房期、つまり冷房運転であるため、空調室目標空調温度を目標空調温度より低い温度以下の温度に制御する。つまり、図５に示された例では、目標空調温度より低い２０℃以下に設定する。ここでは、空調室目標空調温度を２０℃であるものとする。
【００８８】
なお、暖房期、つまり暖房運転である場合には、空調室温度制御部２３は、空調室目標空調温度を目標空調温度より高い温度以上の温度に制御する。図６のような例示はしないが、暖房期の場合例えば設定温度は２４℃である。
【００８９】
上記設定により、空調室１７は設定温度である２０℃に冷却され、この空調室目標空調温度であればすべての居室２の目標空調温度（ここでは２０℃〜２４℃）に対応可能となる。
【００９０】
次に、システムコントローラ８ａは、図８に示すファン風量設定処理Ｓ２００を実行する。ファン風量設定処理Ｓ２００では、システムコントローラ８ａは、空調室温度センサー１２を介して空調室温度を取得する（Ｓ２０１）。続いて、システムコントローラ８ａは、居室温度センサー９を介して各居室の室内温度を取得する（Ｓ２０２）。その後、システムコントローラ８ａは、在・不在居室判定部３２を介して居室２ａ〜２ｉの在居室・不在居室判定を行う（Ｓ２０３）。さらに、システムコントローラ８ａは、当該居室が在居室と判定された場合は目標空調環境取得部３３ａを介して入出力端末１８により設定された在居室の目標空調温度を、当該居室が不在居室と判定された場合は目標空調環境取得部３３ａからの情報を基に準目標空調環境記憶部３４ａが取得した準目標空調温度を取得する（Ｓ２０４）。
【００９１】
上記取得が完了すると、第一温度比較部２７は、目標（準目標）空調温度と空調室温度とを比較して温度差を算出する（Ｓ２０５）。
【００９２】
第一温度比較部２７が温度差を算出すると、送風量決定部２４ａは、算出した温度差に基づいて搬送ファン３ａ〜３ｉの各々の送風量を決定する（Ｓ２０６）。
【００９３】
送風量の決定は、具体的に以下のように行われる。すなわち、在居室２ｄの目標空調温度が２０℃、空調制御された空調室１８の温度が２０℃であるため、在居室２ｄと空調室１７とを結ぶ搬送ダクトに対応する搬送ファン３ｃの送風量を最大値とする。ここで送風量とは、搬送ファンの送風能力、あるいは動作ノッチとすることができる。例えば搬送ファン３の送風量を送風量の小さいものから順に１〜１０の１０段階の設定が可能とすると、ここでは送風量を１０に決定する。つまり送風量決定部２４ａは、在居室２ｄの室内温度を２７℃から下げ、さらに目標空調温度の２０℃を維持するために、空調室１７の同温（２０℃）の空気を最大量送風するよう、決定する。
【００９４】
また例えば隣接空間距離が１の不在居室２ｃの準目標空調温度が２２℃、空調制御された空調室１７の温度が２０℃であるため、搬送ファン３ｂの送風量を最大値である１０とすると、不在居室２ｃの準目標空調温度が２２℃を下回る可能性がある。よって送風量決定部２４ａは、搬送ファン３ｂの送風量を最大値よりは低い値とする。低い値とは、例えば送風量が８である。
【００９５】
同様に隣接空間距離が２の不在居室２ｂの目標空調温度が２４℃、空調制御された空調室１７の温度が２０℃であるため、搬送ファン３ａの送風量を最大値である１０とすると、不在居室２ｂの準目標空調温度が２４℃を下回る可能性がある。よって送風量決定部２４ａは、搬送ファン３ａの送風量を最大値より低い例えば６とする。
【００９６】
つまり、送風量決定部２４ａは、目標（準目標）空調温度と空調室の温度の差に応じて、例えば第一温度比較部２７が算出した温度差が小さい居室（在居室２ｄ：温度差０℃）に対しては、温度差が大きい居室（例えば不在居室２ｂ：温度差５℃、不在居室２ｃ：温度差２℃）に対するよりも搬送ファン３ｃの送風量を大きくする。
【００９７】
上記処理は、すべての居室に対して行われる（Ｓ２０７でＮｏ→Ｓ２０２・・・→Ｓ２０７でＹｅｓ）。
【００９８】
送風量決定部２４ａが各搬送ファン３の風量を決定すると、当該決定に従って、ファン風量制御部２０が各搬送ファン３を制御する。
【００９９】
これにより、空調室温度制御部２３が制御した空調室１７の温度と、独立した複数の搬送ファン３ａ〜３ｉの制御によって、在居室を目標空調温度に、不在居室を準目標空調温度に制御することが可能となる。
【０１００】
以上の処理により、在居室には、人が要求する、すなわち最も心地よい目標空調環境を提供し、不在居室に対してはエネルギー負荷の少ない準目標空調環境を提供することができる。これにより、全居室をすべて目標空調環境とするよりもエネルギー負荷を下げることができる。しかも、人が在居室から不在居室に移動した場合であっても空調環境の変化が少ない。このため、急激な環境変化が人に与える例えばヒートショック等の悪影響を抑制することが可能となる。
【０１０１】
さらに、不在居室の空調環境は、在居室からの隣接空間距離に応じて漸次、エネルギー負荷を下げた空調環境を提供している。このため、人が複数の空間にわたって移動する際であっても環境は緩やかに変化する。したがって、人を環境に慣れさせることができ、環境変化にともなう悪影響を低減できる。
【０１０２】
なお、上記処理に基づけば、人が他の不在居室に移動した後は、その不在居室が在居室となり、さらに在居室が不在居室に変更される。これにより、新たな移動先の不在居室が在居室の目標空調環境に変更され、すなわち人が最も心地よい空調環境となる。そして、在居室から不在居室に変更された居室は、エネルギー負荷の低い準目標空調環境に移行するため、家屋全体としてエネルギー負荷の低い環境が維持可能となる。
【０１０３】
なお、居室の室内温度と目標（準目標）空調温度との差にかかわらず、目標（準目標）空調温度に到達していない居室に対しては、まず最大風量で送風することで、素早く目標（準目標）空調温度に到達させることも可能である。この場合であっても、後述のファン風量調整処理Ｓ３００によって、各居室を目標（準目標）空調温度に維持することが可能である。しかしながら、空調室１７は、複数の居室２に空気を搬送しているため、一度に大量の空気の搬送が発生すると、空調室１７の冷暖房処理が追い付かず、つまり冷暖房効果が低下してしまう。例えば空調システムの処理の開始や、不在の住宅に対して家族が帰宅し、各居室が一斉に目標空調温度に設定された場合などがこれに該当する。これらに対応するためには、空調室の体積を大きくしてもよいが、これでは空間コストが上がり、さらに空調機も大容量化が要求される。これに対して送風量決定部２４ａは、温度差が小さい居室に対し、温度差が大きい居室に対するよりも搬送ファンの送風量を大きくしている。言い換えると、送風量決定部２４ａは、温度差が大きい居室に対しては、温度差が小さい居室に対するよりも搬送ファンの送風量を小さくしている。これにより、各居室の室内温度を目標（準目標）空調温度に徐々に下げることで、冷暖房効果の低下を抑制し、結果的に空調室の小型化を実現している。
【０１０４】
ところで、上記設定では、例えば在居室２ｄの目標空調温度は空調室１７の温度と同一の２０℃であるため、搬送ファン３ｃを最大風量で制御することで、在居室２ｄを目標空調温度に制御可能である。しかしながら、例えば不在居室２ｂに対しては、準目標空調温度が２４℃であるため、上記例の送風量が５の場合では、準目標空調温度に到達するのか、または到達して維持できるのか、あるいは過冷却となるのかが不明である。不在居室２ｃに対しても同様である。このような状況に対応するために、システムコントローラ８ａは、図９に示すファン風量調整処理Ｓ３００を実行する。ファン風量調整処理Ｓ３００では、システムコントローラ８ａは、ファン風量設定処理Ｓ２００が終了してから一定時間経過したか否かを判定する（Ｓ３０１）。一定時間経過していない場合には、一定時間経過するまで待機する（Ｓ３０１でＮｏ）。これは、ファン風量設定処理Ｓ２００が設定した環境にて空調システムを稼働させ、各居室の室内温度を目標空調温度に近づけるための時間を確保するためである。
【０１０５】
一定時間が経過すると、システムコントローラ８ａは、居室温度センサー９を介して各居室の室内温度を取得する（Ｓ３０２）。さらに、システムコントローラ８ａは、在・不在居室判定部３２を介して居室２ａ〜２ｉの在居室・不在居室判定を行う（Ｓ３０３）。その後、システムコントローラ８ａは、当該居室が在居室と判定された場合は目標空調環境取得部３３ａを介して入出力端末１８により設定された在居室の目標空調温度を、当該居室が不在居室と判定された場合は目標空調環境取得部３３ａからの情報を基に準目標空調環境記憶部３４ａが取得した不在居室の準目標空調温度を取得する（Ｓ３０４）。
【０１０６】
上記取得が完了すると、第二温度比較部２８は、目標（準目標）空調温度と居室の室内温度とを比較して温度差（温度の乖離）を算出する（Ｓ３０５）。
【０１０７】
第二温度比較部２８が温度差を算出すると、温度差比較部２９は、前回のファン風量調整処理Ｓ３００にて記憶した、前回のタイミング（タイミングＡに該当）にて第二温度比較部が算出した温度差Ａと比較する。今回は一回目の処理なので前回算出した温度差Ａが存在しないため、比較は行わずに算出した温度差を温度差Ａとして記憶部３０に記憶してＳ３０１の処理に戻る。
【０１０８】
なお、前回のタイミング（タイミングＡ）にて算出した温度差Ａがある場合、温度差比較部２９は、今回のタイミング（タイミングＢに該当）で第二温度比較部２８が算出した温度差Ｂと、記憶部３０に記憶しているタイミングＡにおける温度差Ａとを比較する。
【０１０９】
ここで、タイミングＡからタイミングＢへの時間の遷移によって、居室の室内温度の目標（準目標）空調温度からの乖離が小さくなっている場合、つまり温度差Ｂが温度差Ａより小さい場合、搬送ファン３の動作によって、居室の室温が目標（準目標）空調温度に近づいていることを意味する。このため、送風量決定部２４ａは、搬送ファン３の送風量を減少させる（Ｓ３０６でＹｅｓ→Ｓ３０７）。
【０１１０】
また、タイミングＡからタイミングＢへの時間の遷移によって、居室の室内温度の目標（準目標）空調温度からの乖離が無いか又は大きくなっている場合、つまり温度差Ｂが温度差Ａより大きい場合、さらに過冷却（冷房期の場合）、過加熱（暖房期の場合）を判定する（Ｓ３０８）。つまり、乖離が大きくなっている場合には、搬送ファン３の送風量が大きすぎて目標（準目標）空調温度を超えた冷却（加熱）を行っている場合（過処理）と、搬送ファン３の送風量が小さすぎて目標空調温度に近づかず、さらに外気の影響で居室の室内温度が目標（準目標）空調温度から離れている場合と、が考えられる。このため、Ｓ３０８にてこれらを判定する。
【０１１１】
ここで、過冷却や過加熱、つまり過処理であると判定された場合、送風量決定部２４ａは、搬送ファンの送風量を減少させる（Ｓ３０８でＹｅｓ→Ｓ３０７）。
【０１１２】
また、過冷却や過加熱、つまり過処理ではないと判定された場合、送風量決定部２４ａは、搬送ファンの送風量を増加させる（Ｓ３０８でＮｏ→Ｓ３０９）。
【０１１３】
上述の過冷却（過加熱）か否か（過処理か否か）は、冷暖房期設定と、目標（準目標）空調温度と、居室の室内温度とから判定可能である。
【０１１４】
なお、図９には示していないが、タイミングＡからタイミングＢへの時間の遷移によって乖離が無く、さらに居室の室内温度が目標（準目標）空調温度に近い（例えばプラスマイナス０．３℃）範囲の場合には、搬送ファンの送風量を変更せず、維持してもよい。
【０１１５】
上記ファン風量調整処理Ｓ３００は、一定時間ごとに実行される。
【０１１６】
以上に示したファン風量調整処理Ｓ３００により、空調室温度制御部２３による空調室の温度制御と搬送ファン３の送風量制御によって、各居室を目標（準目標）空調温度に到達させ、目標（準目標）空調温度を維持することが可能となる。
【０１１７】
特に空調室１７は、循環ファン６等により複数の居室からの様々な温度の空気が流入するため、温度変化が激しい。よって、気圧差とダンパーを利用したシステムなどでは制御が困難であるため、搬送ファン３を利用して送風することが重要である。なお、上述の処理であれば、一般的なファンを搬送ファンに利用しても温度制御が可能であるが、細かい温度制御を可能とするためにも、ダクト長や圧の影響を受けずに設定された一定量の送風量を維持できる風量一定制御機能部を備えたファンを搬送ファンに利用するのが好ましい。
【０１１８】
なお、上記空調処理は、各目標空調温度の設定の変更や冷暖房期の切替処理を割り込み処理として、当該割り込み処理が行われた場合には、空調温度制御処理Ｓ１００から開始されることで、設定変更に対応可能となる。
【０１１９】
ところで、空調室１７は限られた体積を備えた空間であり、例えばすべての居室２ａ〜２ｉに対して最大の送風量である１０で冷房又は暖房する必要が生じた場合、空調室１７の温度維持が困難になる。これは、空調室１７は、温度調節された空気の流出が多く、逆に空調室１７の設定温度に比較して温度差の大きい空気の流入が多くなることに起因する。
【０１２０】
従って、このような状況に対応するために、システムコントローラ８ａは、図１０に示す空調室負荷低減処理Ｓ４００を実行してもよい。空調室負荷低減処理Ｓ４００では、送風総量算出部２５は、複数の搬送ファン３ａ〜３ｉによる送風量の総和である送風総量を算出する（Ｓ４０１）。次に、送風量比較部２６は、送風総量算出部２５が算出した送風総量（送風総和）と、記憶部３０にあらかじめ記憶されている所定の送風量閾値とを比較する（Ｓ４０２）。ここでは、所定の送風量閾値は、複数の搬送ファン３ａ〜３ｉの最大送風量の総和の８０％の値とする。
【０１２１】
ここで、送風総和が所定の送風量閾値を超えている場合（Ｓ４０３でＹｅｓ）、送風量比較部２６は、さらに入出力端末１８にて設定された冷暖房期設定を取得し、この情報を基に冷暖房期を判定する（Ｓ４０４）。送風量比較部２６は、送風総和が所定の送風量閾値を超えている旨及び冷房期又は暖房期である旨を空調室温度制御部２３に送信する。なお、送風総和が所定の送風量閾値以下の場合は（Ｓ４０３でＮｏ）、処理を終了する。
【０１２２】
空調室温度制御部２３は、送風総和が所定の送風量閾値を超えている旨と冷房期又は暖房期である旨を受信すると、冷房期の場合には、空調室温度を現状の設定からさらに低く変更する（Ｓ４０４で冷房期→Ｓ４０６）。また、空調室温度制御部２３は、暖房期の場合には、空調室温度の現状の設定からさらに高く変更する（Ｓ４０４で暖房期→Ｓ４０５）。
【０１２３】
空調室温度制御部２３は、空調室温度の設定を変更した旨を送風量決定部２４ａに送信し、送風量決定部２４ａはこれに基づいて搬送ファン３の送風量を減少させる（Ｓ４０７）。
【０１２４】
これにより、空調室１７の温度の設定をより低く（冷房期）あるいは高く（暖房期）変更することで、空調室１７の限られた体積を増加させることなく目標（準目標）空調温度の幅広い温度領域に対応可能となる。
【０１２５】
なお、空調室温度の下げ幅（冷房期）や上げ幅（暖房期）は、固定値とするのではなく、送風総和が所定の送風量閾値を超えている量に比例して大きくすると空調室１７の利用効率とエネルギー消費量の面で有利である。具体的には、所定の送風量閾値が７０であって送風総和が８０の場合には、２℃、温度を変更する。同じく送風総和が９０の場合には４℃、送風総和が１００の場合には６℃といった変更がこれに該当する。
【０１２６】
次いで、図５〜図１０を参照して、システムコントローラ８ａにより実行される、主として省エネルギー制御における空調処理について説明する。
【０１２７】
システムコントローラ８ａを構成する制御切替部５９は、ユーザにより入出力端末１８を介して入力され、記憶部３０に記憶されている動作モードが通常エネルギー制御か省エネルギー制御かを確認する（Ｓ１）。
【０１２８】
ここで、省エネルギー制御である場合、制御切替部５９は、省エネルギー制御部５８を介して以下の処理を行う（Ｓ１でＮｏ）。なお省エネルギー制御とは、余剰電力量の電力の範囲内で、一般住宅１の目標空調環境をユーザが希望する目標空調環境に近づけるように空調制御機を制御する動作モードである。
【０１２９】
＜省エネルギー制御＞
省エネルギー制御においては、まず、自家発電量取得部５４は、分電盤５３を介して発電量を取得する（Ｓ２）。次に、電力量取得部５５は、分電盤５３を介して使用電力量を取得する（Ｓ３）。さらに比較部５６は、発電量と使用電力量との差を算出することで余剰電力を算出する。
【０１３０】
ここで、余剰電力がある場合、省エネルギー制御部５８は、空調制御部５０を省エネルギー制御で動作させる（Ｓ４でＹｅｓ）。なお、余剰電力が無い場合、通常エネルギー制御で動作させる（Ｓ４でＮｏ）。
【０１３１】
以下、省エネルギー制御において通常エネルギー制御とは異なる点のみを説明する。
【０１３２】
省エネルギー制御では、空調室温度設定（図７のＳ１０３）において、空調室温度制御部２３は、エアコンディショナー７に空調室１７の目標温度（空調室目標空調温度）を設定する（Ｓ１０３）。
【０１３３】
ここで、空調室目標空調温度の決定は通常エネルギー処理と同様であるが、比較部５６による余剰電力の算出は随時行われており、余剰電力がゼロに近づいてきた場合には、空調室温度制御部２３は、目標温度（空調室目標空調温度）をエネルギー負荷の低い目標空調環境（温度）に変更する。これにより目標温度（空調室目標空調温度）は、余剰電力量に相当する電力の範囲内で決定される。
【０１３４】
また、余剰電力の範囲内で通常エネルギー制御と同じ目標温度（空調室目標空調温度）に設定され、空調室１７の温度がこの目標温度（空調室目標空調温度）に到達した場合、続いて在居室空調環境制御部２１は、在居室に対してのみ、次の処理を行う。
【０１３５】
つまり、在居室空調環境制御部２１は、図８に示したファン風量設定処理Ｓ２００における送風量決定Ｓ２０６を、在居室に対してのみ行う。また、在居室空調環境制御部２１は、図９に示したファン風量調整処理Ｓ３００を在居室に対してのみ行う。なお、人の移動により在居室が変更された場合には、これに追随して在居室に対してのみ処理が行われる。そして、不在居室に対しては、空調制御を行わないか、又は最低限必要な換気のみを行うようにしてもよい。
【０１３６】
これにより、在居室に対しては、余剰電力の範囲内で、ユーザの望む目標空調環境（温度）に近づけることが可能となる。
【０１３７】
なお、在居室に対して上記処理を継続した状態で所定の時間運転を行い、まだ余剰電力がある場合には、続いて、不在居室空調環境制御部２２は、在居室空調環境制御部２１が運転を継続している状態で、図８に示したファン風量設定処理Ｓ２００における送風量決定Ｓ２０６を不在居室に対して行う。また、不在居室空調環境制御部２２は、図９に示したファン風量調整処理Ｓ３００を不在居室に対して行う。この際、不在居室に対しては、上述の準目標空調環境（温度）が採用される。
【０１３８】
これにより、不在居室に対しては、準目標空調環境（温度）を実現することができる。
【０１３９】
なお、この状態でもまだ十分な余剰電力がある場合には、不在居室空調環境制御部２２は、不在居室に対する制御、つまり採用した準目標空調環境（温度）を目標空調環境（温度）に変更してもよい。このようにすることで、余剰電力の範囲内でユーザの望む最も快適な目標空調環境（温度）に近づけ、実現することも可能となる。
【０１４０】
なお、上記例では太陽光発電パネル５１を利用した例を述べたが、太陽光発電パネル５１の発電量は日照時間に大きく影響される。したがって、発電量は随時変動するため、余剰電力の数値をそのまま採用すると、頻繁な制御の切替が発生しうる。このため、余剰電力を採用する場合に、実際に算出された余剰電力の例えば９０％を上述の余剰電力の値として利用することで、上記問題を解決できる。
【０１４１】
また、発電量が減少していく際には、上記とは逆の制御が行われる。つまり、まず不在居室に対して目標空調環境（温度）を準目標空調環境（温度）に変更する。
【０１４２】
次に、不在居室に対する制御を停止し、在居室のみを対象として制御する。さらには、目標温度（空調室目標空調温度）をエネルギー負荷の低い目標空調環境（温度）に変更する。
【０１４３】
これにより、発電量の減少に対応できる。なお、夜間など、余剰電力が見込めない場合や、空調室目標空調温度の設定温度が目標値より過度にエネルギー負荷の低い温度に変更する必要がある場合には、省エネルギー制御を通常エネルギー制御に切り替えてもよい。
【０１４４】
（実施の形態２）
続いて、実施の形態２について説明を行う。なお、実施の形態１との共通点については説明を省略する。
【０１４５】
まず、図１１、図２を参照して、本開示の実施の形態２に係る空調システム１９について説明する。図１１は、本実施の形態に係る空調システム１９の接続概略図であり、図２は、本実施の形態に係る一般住宅１の居室配置の一例を示す図である。なお、図２は実施の形態１で既に説明した通りである。また、図１１はすでに説明した図１と、から居室人感センサー１１を除いている点、及びシステムコントローラ８ａに代えてシステムコントローラ８ｂを備える点以外は同様である。
【０１４６】
次いで、図１２を参照して、システムコントローラ８ｂの各機能について説明する。図１２は、図１１のシステムコントローラ８ｂの概略機能ブロック図である。
【０１４７】
システムコントローラ８ｂは、空調室温度制御部２３、送風量決定部２４ｂ、ファン風量制御部２０、送風総量算出部２５、送風量比較部２６、記憶部３０を備える。つまり図３の送風量決定部２４ａに代えて送風量決定部２４ｂを備えている。さらにシステムコントローラ８ｂは、自家発電量取得部５４、電力量取得部５５、比較部５６、制御切替部５９を備える。
【０１４８】
送風量決定部２４ｂは、センサー情報取得部３５と、居室・非居室記憶部４３と、目標空調環境取得部３３ｂと、準目標空調環境記憶部３４ｂと、居室空調環境制御部４１と、非居室空調環境制御部４２と、第一温度比較部２７と、第二温度比較部２８と、温度差比較部２９とを備える。
【０１４９】
居室・非居室記憶部４３は、居室２ａ〜２ｉを居室と非居室に分けて記憶している。また、各居室と、居室温度センサー９、搬送ファン３、循環ファン６とが対応付けて記憶されている。ここで言う居室とは、人が家屋に居住するにあたり長時間過ごす空間が該当する。つまり、居室とはリビング（居間）、ダイニング（台所・食堂）、寝室、子供部屋等が含まれる。また、非居室とは、家屋を構成する空間であって居室に該当しない空間が該当する。つまり非居室とは、トイレ、物置、浴室、洗面所、脱衣所、廊下、玄関等が含まれる。なお、台所での滞在頻度が短い家庭であれば、当然ながらこの台所を非居室に該当させてもよく、その逆も可能である。つまり、空調制御対象となる空間が居室か非居室かのどちらかに割り当てられていればよい。
【０１５０】
目標空調環境取得部３３ｂは、居室・非居室記憶部４３に基づいて居室と判断した居室２に対して、入出力端末１８を介して居室２に設定された目標空調環境を取得する。
【０１５１】
準目標空調環境記憶部３４ｂは、目標空調環境に対する非居室の準目標空調環境を記憶している。準目標空調環境記憶部３４ｂの記憶情報に基づく各居室の目標空調環境（温度）、準目標空調環境（温度）の設定例を以下に示す。
【０１５２】
例えば夏季、つまり冷房期に、準目標空調環境記憶部３４ｂは、当該居室が非居室の場合、準目標空調温度は目標空調温度から＋２℃と記憶している。同様に冬季、つまり暖房期に、準目標空調環境記憶部３４ｂは、当該居室が非居室の場合、準目標空調温度は目標空調温度から−２℃と記憶している。
【０１５３】
例えば図２において、夏季、つまり冷房期に居室の目標空調温度を２０℃とすると、非居室の準目標空調温度は２２℃となる。同様に冬季、つまり暖房期に居室の目標空調温度が２０℃とすると、非居室の準目標空調温度は１８℃となる。
【０１５４】
居室空調環境制御部４１は、目標空調環境取得部３３ｂを介して入出力端末１８により設定された居室の目標空調環境（温度）と、空調室温度制御部２３にて制御された空調室１７の温度と、居室温度センサー９が取得した居室それぞれの室内温度に基づいて各搬送ファン３の送風量を決定する。
【０１５５】
非居室空調環境制御部４２は、目標空調環境取得部３３ｂからの情報と、居室・非居室記憶部４３とに基づいて決定した非居室の準目標空調環境（温度）と、空調室温度制御部２３にて制御された空調室１７の温度と、居室温度センサー９が取得した非居室それぞれの室内温度とに基づいて各搬送ファン３の送風量を決定する。送風量の決定手順は実施の形態１で述べたとおりである。
【０１５６】
以上のように、居室の区別を、実施の形態１で示した在・不在ではなく、居室・非居室として区別し、居室には、人が要求する、すなわち最も心地よい目標空調環境を提供し、非居室に対してはエネルギー負荷の少ない準目標空調環境を提供することができる。これにより、全居室をすべて目標空調環境とするよりもエネルギー負荷を下げることができる。しかも、非居室よりも在室時間が長いと予想される居室に心地よい目標空調環境を提供しているため、人に心地よい空調環境を提供できる可能性が高く、単純な構成でエネルギー負荷の低い全館空調が提供できる。
【０１５７】
当然、人が居室から非居室に移動した場合であっても空調環境の変化が少ないため、急激な環境変化が人に与える例えばヒートショック等の悪影響を抑制することが可能となる。
【０１５８】
また、実施の形態１における在居室を実施の形態２における居室として対応させ、実施の形態１における不在居室を実施の形態２における非居室として対応させることで、実施の形態１にて説明した通常エネルギー制御と省エネルギー制御を実施の形態２に適用可能である。つまり、居室空調環境制御部４１は、余剰電力量に相当する電力の範囲内で、居室における目標空調環境（温度）に近づけるよう居室に対応する空調制御機の出力を制御する。また、居室空調環境制御部４１により居室が目標空調環境に到達した際にさらなる余剰電力量がある場合は、非居室空調環境制御部４２は、非居室に対してさらなる余剰電力量に相当する電力の範囲内で省エネルギー制御を行う。つまり、非居室空調環境制御部４２は、非居室における目標空調環境（温度）に近づけるよう非居室に対応する空調制御機の出力を制御する。
【０１５９】
また、非居室空調環境制御部４２は、余剰電力量に応じて非居室における目標空調環境よりもエネルギー負荷の低い準目標空調環境に近づけるよう非居室に対応する空調制御機の出力を制御する。
【０１６０】
これにより、実施の形態１と同様に、省エネルギー制御による効果を得ることが可能となる。
【０１６１】
なお、上記実施の形態１及び２は、空調環境を温度として説明を行った。しかしながら、空調室を利用した全館空調であれば、空調室の湿度環境を整えることで各居室における湿度環境も搬送ファンの風量によって調節可能となる。つまり、空調環境として湿度に着目すれば、空調室の湿度を最も心地よい湿度である目標空調環境（湿度）に維持する。そして、在居室や居室には搬送ファンの風量を増加させることで目標空調環境（湿度）に維持し、不在居室や非居室に対しては、在居室や居室に比べて搬送ファンの風量を減少させることで、準目標空調環境（湿度）に維持することが可能となる。
【０１６２】
当然ながら、清浄度（空気質）も同様に、空調室の清浄度環境を整えることで各居室における清浄度環境を搬送ファンの風量によって調節可能となる。つまり、空調環境として清浄度に着目すれば、空調室の清浄度を、要求される最も高い清浄度に設定し、目標空調環境（清浄度）に維持する。そして、在居室や居室には搬送ファンの風量を増加させることで目標空調環境（清浄度）に維持し、不在居室や非居室に対しては、在居室や居室に比べて搬送ファンの風量を減少させることで、準目標空調環境（清浄度）に維持することが可能となる。
【０１６３】
これによって、温度だけではなく、湿度及び清浄度についても、省エネルギーの全館空調が実現可能となる。
【０１６４】
以上、本開示に係る空調システム及びシステムコントローラ８ａ、８ｂについて説明を行ったが、上記実施の形態は、一例であり、これに限定されるものではない。
【０１６５】
例えば、循環ファン６ａ〜６ｉ、及び搬送ファン３ａ〜３ｉは、居室と空調室とを接続するダクトによって連通されている。しかしながら循環ファン６ａ〜６ｉについては必ずしもダクトで接続する必要はなく、居室間を結ぶ廊下等の空間をダクトとみなすことも可能である。この場合、居室内の空気は居室から循環ファン６ａ〜６ｉによって廊下に搬送される。廊下に搬送された居室内の空気は、廊下と連通する空調室１７に取り込まれる。空調室１７への取り込みは、空調室１７の廊下に面した壁面に新たに循環ファンを備えることで行われ、あるいは循環ファンを利用することなく空調室の負圧化により空気を取り込んでもよい。このような構成によっても、ダクトで接続するのに対して循環効率は下がることが予想されるが、空調システムに寄与することができる。
【０１６６】
また、本開示に係る空調システムは、戸建て住宅やマンション等の複合住宅に適用可能である。ただし、空調システムを複合住宅に適用する場合には、１つのシステムが世帯単位に対応するものであり、各世帯を１つの居室とするものではない。
【産業上の利用可能性】
【０１６７】
本開示にかかる空調システムは、複数の居室にて人の在・不在や居室・非居室を判断し、従来よりも省エネルギーの運転で、全館空調を効率的に実施できるものである。
【符号の説明】
【０１６８】
１        一般住宅
２、２ａ、２ｂ、２ｃ、２ｄ、２ｅ、２ｆ、２ｇ、２ｈ、２ｉ      居室
３、３ａ、３ｂ、３ｃ、３ｄ、３ｅ、３ｆ、３ｇ、３ｈ、３ｉ      搬送ファン
４        外気導入ファン
５、５ａ、５ｂ、５ｃ、５ｄ、５ｅ、５ｆ、５ｇ、５ｈ、５ｉ      排気ファン
６、６ａ、６ｂ、６ｃ、６ｄ、６ｅ、６ｆ、６ｇ、６ｈ、６ｉ      循環ファン
７        エアコンディショナー
８ａ、８ｂ      システムコントローラ
９、９ａ、９ｂ、９ｃ、９ｄ、９ｅ、９ｆ、９ｇ、９ｈ、９ｉ      居室温度センサー
１０、１０ａ、１０ｂ、１０ｃ、１０ｄ、１０ｅ、１０ｆ、１０ｇ、１０ｈ、１０ｉ      居室湿度センサー
１２      空調室温度センサー
１３      空調室湿度センサー
１５      加湿器
１６      除湿器
１７      空調室
１８      入出力端末
１９      空調システム
２０      ファン風量制御部
２１      在居室空調環境制御部
２２      不在居室空調環境制御部
２３      空調室温度制御部
２４ａ、２４ｂ      送風量決定部
２５      送風総量算出部
２６      送風量比較部
２７      第一温度比較部
２８      第二温度比較部
２９      温度差比較部
３０      記憶部
３２      在・不在居室判定部
３３ａ、３３ｂ      目標空調環境取得部
３４ａ、３４ｂ      準目標空調環境記憶部
３５      センサー情報取得部
４０      空気清浄機
４１      居室空調環境制御部
４２      非居室空調環境制御部
４３      居室・非居室記憶部
５０      空調制御部
５１      太陽光発電パネル
５２      パワーコンディショナー
５３      分電盤
５４      自家発電量取得部
５５      電力量取得部
５６      比較部
５７      通常エネルギー制御部
５８      省エネルギー制御部
５９      制御切替部
６０      電力貯蔵部
【図１】
2020195338.tif 000003
【図２】
2020195338.tif 000004
【図３】
2020195338.tif 000005
【図４】
2020195338.tif 000006
【図５】
2020195338.tif 000007
【図６】
2020195338.tif 000008
【図７】
2020195338.tif 000009
【図８】
2020195338.tif 000010
【図９】
2020195338.tif 000011
【図１０】
2020195338.tif 000012
【図１１】
2020195338.tif 000013
【図１２】
2020195338.tif 000014
【国際調査報告】
2020195338.tif 000015
2020195338.tif 000016
2020195338.tif 000017
2020195338.tif 000018